(57)【要約】【課題】インク貯留部に対する設置面からの熱の影響を防止する。【解決手段】インク容器３０は、底部３５の周縁部の内側に下方に突出するインク貯留部３６（突部）を備え、インク３３を収容する遮光性の本体部３１と、この本体部３１の周縁部の下側にインク貯留部３６よりも長く設けられ、設置面１５に接触して本体部３１を支持する脚部４０と、を有する。脚部４０は板状の円筒体に形成され、脚部４０によりインク貯留部３６を設置面１５から離し、インク貯留部３６と設置面１５との間に空間３７を形成することで、インク貯留部３６に設置面１５から伝わる熱を少なくする。【選択図】図４
2013202853.tif 000002
【特許請求の範囲】
【請求項１】
底部の周縁部の内側に下方に突出するインク貯留部を備えた、インクを収容する本体部と、
前記本体部の前記周縁部の下側に前記インク貯留部よりも長く設けられ、設置面に接触して前記本体部を支持する脚部と、
を有することを特徴とするインク容器。
【請求項２】
請求項１記載のインク容器において、
前記脚部は下方にいくほど断面が小さくなることを特徴とするインク容器。
【請求項３】
請求項１又は２記載のインク容器において、
前記脚部の前記設置面と接触する接触面積は、前記本体部の前記底部の前記設置面と接触しない非接触面積よりも小さいことを特徴とするインク容器。
【請求項４】
請求項１乃至３のいずれか一項に記載のインク容器において、
前記脚部は前記本体部の前記底部の周縁部に沿って配置される周方向に閉じ又は開口した曲面板から形成されることを特徴とするインク容器。
【請求項５】
請求項１乃至３のいずれか一項に記載のインク容器において、
前記脚部は前記本体部の前記底部の周縁部に沿って間隔をあけて設けて配置される少なくとも３本の棒体から形成されることを特徴とするインク容器。
【請求項６】
請求項１乃至３のいずれか一項に記載のインク容器において、
前記脚部は前記本体部の前記インク貯留部の周囲から前記本体部の前記底部の周縁部に向かって放射状に配置される少なくとも３枚の板体から形成されることを特徴とするインク容器。
【請求項７】
請求項１乃至６のいずれか一項に記載のインク容器において、前記インク容器は光硬化型のインクを収容するためのインク容器であって、
前記インク容器は遮光性を有することを特徴とするインク容器。
【請求項８】
開口と、
前記開口の断面よりも大きい断面を有し、インクを収容する本体部と、
前記本体部に対して前記開口の反対側の底部に配置され、前記開口の断面よりも小さい断面を有し、前記本体部に対して前記開口が設けられる方向と反対側に突出する突部と、
前記本体部に対して前記開口の反対側の前記底部の周縁部に配置されると共に、前記突部よりも長く設けられて、前記本体部を支持する支持部と、
を有するインク容器。
【発明の詳細な説明】
【技術分野】
【０００１】
本発明は、インクジェット印刷装置等に使用するインクを貯留するインク容器に係り、特に、インク容器を設置する設置面からのインクに対する熱の影響を防止したインク容器に関する。
【背景技術】
【０００２】
従来より、光硬化型のインクを印刷ヘッドから被印刷媒体に吐出し、被印刷媒体に吐出したインクに光源により光を照射して硬化させることにより、被印刷媒体上に画像を形成するインクジェット印刷装置が知られている（例えば、特許文献１参照）。この印刷装置では、被印刷媒体がセットされると、印刷ヘッドが走査方向一方側と他方側とに交互に往復移動する。往復移動する印刷ヘッドは被印刷媒体にインクを吐出し、その後、光源が紫外線を照射することにより、インクが硬化する。
【０００３】
このインクジェット印刷装置においては、インクは遮光性のインク容器に貯留して使用する。インクを貯留したインク容器は、印刷装置本体の設置面に着脱可能に設置される。インク容器内のインクは、挿入先端部をインク容器の内部に挿入したインクチューブによりインク容器外に排出され、印刷ヘッドに供給される。
【先行技術文献】
【特許文献】
【０００４】
【特許文献１】特開２００２−２９２８８７号公報
【発明の概要】
【発明が解決しようとする課題】
【０００５】
ところで、インク容器は、貯留したインクを最後まで使用可能とするために、底部に下方に突出するインク貯留部（突部）を形成する場合がある。このようにすると、インク容器内のインク残量が少なくなったときに、インクがインク貯留部に集まるので、インクチューブの挿入先端部をインク貯留部内に位置させることで、インク容器内のインクを最後まで排出して使用し尽すことができる。
【０００６】
しかしながら、光硬化型等のインクは、熱による影響を受けやすく、温度が高くなると硬化する等、変質する傾向がある。また、光硬化型ではなく通常のインクであっても、同様に熱によりインクの品質が劣化するおそれがある。特に、設置面に近いインク容器のインク貯留部では、設置面からの熱が伝わりやすいため、温度が高くなることによるインクの硬化や品質の劣化等、インクの変質を無視することができない問題があった。
【０００７】
本発明の目的は、インク貯留部に対する設置面からの熱の影響を防止し、貯留したインクを変質等を生じることなく使用可能としたインク容器を提供することである。
【課題を解決するための手段】
【０００８】
上記目的を達成するために、第１の発明は、底部の周縁部の内側に下方に突出するインク貯留部を備えた、インクを収容する本体部と、前記本体部の前記周縁部の下側に前記インク貯留部よりも長く設けられ、設置面に接触して前記本体部を支持する脚部と、を有することを特徴とする。
【０００９】
本願第１発明のインク容器は、インクを収容する本体部と、本体部を支持する脚部と、を有する。本体部は、底部の周縁部の内側に下方に突出するインク貯留部を備える。脚部は、本体部の周縁部の下側にインク貯留部よりも長く設けられ、インク容器を設置する設置面に接触して、本体部を設置面上に支持する。本体部内に収容されたインクは、本体部内にインクを排出しやすいようにチューブを挿入するなどして本体部外に排出される。インク貯留部は、例えば、本体部内のインク残量が少なくなったときに、残ったインクを集めて、最後までインクをチューブ等により排出しやすいようにする。このインク貯留部は、本体部の底部の周縁部内側から下方に突出し設置面に近いため、設置面からの熱の影響を受けやすい。本願第１発明では、脚部によりインク貯留部を設置面から離し、インク貯留部と設置面との間に空間を形成するので、インク貯留部に設置面から伝わる熱を少なくすることができる。
【００１０】
第２の発明は、上記第１発明において、前記脚部は下方にいくほど断面が小さくなることを特徴とする。
【００１１】
本願第２発明のインク容器は、脚部が下方に行くほど細くなり、脚部は放熱面積が大きい傾斜面を有する。これにより、設置面から熱が脚部に伝わっても、脚部の放熱量を増大して、脚部から本体部の底部を経てインク貯留部へ伝わる熱を少なくできる。
【００１２】
第３の発明は、上記第１又は第２発明において、前記脚部の前記設置面と接触する接触面積は、前記本体部の前記底部の前記設置面と接触しない非接触面積よりも小さいことを特徴とする。
【００１３】
本願第３発明のインク容器は、脚部の設置面と接触する接触面積が本体部の底部の設置面と接触しない非接触面積よりも小さく、脚部は設置面と部分的な接触をするので、脚部から本体部の底部を経てインク貯留部へ伝わる熱を少なくできる。
【００１４】
第４の発明は、上記第１乃至第３発明のいずれかにおいて、前記脚部は前記本体部の前記底部の周縁部に沿って配置される周方向に閉じ又は開口した曲面板から形成されることを特徴とする。
【００１５】
本願第４発明のインク容器は、脚部を本体部の底部の周縁部に沿って配置される周方向に閉じ又は開口した曲面板から形成するので、脚部の放熱面積をより大きくできる。設置面から伝わる熱を脚部で放熱し、脚部から本体部の底部を経てインク貯留部へ伝わる熱を少なくできる。
【００１６】
第５の発明は、上記第１乃至第３発明のいずれかにおいて、前記脚部は前記本体部の前記底部の周縁部に沿って間隔をあけて設けて配置される少なくとも３本の棒体から形成されることを特徴とする。
【００１７】
本願第５発明のインク容器は、脚部を本体部の底部の周縁部に沿って間隔をあけて設けて配置される少なくとも３本の棒体から形成するので、インク貯留部と設置面との間に、本体部底部の周縁部の外方に開放された空間を形成することができる。設置面から伝わる熱を脚部で放熱し、脚部から本体部の底部を経てインク貯留部へ伝わる熱を少なくできる。
【００１８】
第６の発明は、上記第１乃至第３発明のいずれかにおいて、前記脚部は前記本体部の前記インク貯留部の周囲から前記本体部の前記底部の周縁部に向かって放射状に配置される少なくとも３枚の板体から形成されることを特徴とする。
【００１９】
本願第６発明のインク容器は、脚部を放射状に配置される板体から形成するので、脚部の放熱面積をより大きくできる。設置面から伝わる熱を脚部で放熱し、脚部から本体部の底部を経てインク貯留部へ伝わる熱を少なくできる。
【００２０】
第７の発明は、上記第１乃至第６発明のいずれかにおいて、前記インク容器は光硬化型のインクを収容するためのインク容器であって、前記インク容器は遮光性を有することを特徴とする。
【００２１】
本願第７発明のインク容器は、設置面からの本体部のインク貯留部への熱の伝熱を低減できるのに加え、本体部が遮光性を有する。本体部に収容した熱と光の影響を受けやすい光硬化型インクの硬化を防止することができる。
【００２２】
上記目的を達成するために、第８の発明は、開口と、前記開口の断面よりも大きい断面を有し、インクを収容する本体部と、前記本体部に対して前記開口の反対側の底部に配置され、前記開口の断面よりも小さい断面を有し、前記本体部に対して前記開口が設けられる方向と反対側に突出する突部と、前記本体部に対して前記開口の反対側の前記底部の周縁部に配置されると共に、前記突部よりも長く設けられて、前記本体部を支持する支持部とを有する。
【００２３】
本願第８発明のインク容器は、突部を有しており、インクの残量が少なくなると突部にインクが貯留される。例えば、インク残量が少なくなったときは、ユーザは突部に貯留されたインクをチューブを挿すなどして取り出せるので、インクが取り出しやすくなる。
【００２４】
ところで、ユーザはインク容器を保管するときにどこに載置するかわからず、環境によっては、突部が載置面から熱の影響を受けるおそれがある。そこで、インク容器の突部に支持部を設けることで、載置面からの熱が突部に伝達するのを軽減することができる。これにより、突部に貯留されたインクが熱により変質するおそれを軽減することができる。
【発明の効果】
【００２５】
本発明によれば、インク貯留部もしくは突部に対する設置面からの熱の影響を防止し、本体部に貯留したインクの品質が変化するのを防止してインクを効果的に使用することができる。
【図面の簡単な説明】
【００２６】
【図１】本発明のインク容器を設置するプリンタの全体の外観を示す斜視図である。
【図２】プリンタの内部構造を示す正面図である。
【図３】プリンタの内部構造を示す平面図である。
【図４】本発明の実施形態に係るインク容器を示す斜視図、断面図、及び下面図である。
【図５】インク収容部の底部が斜面に形成されているインク容器の一部分を示す断面図である。
【図６】脚部を棒体から形成した場合のインク容器の部分を示す下面図、及びＶＩｂ−ＶＩｂ線矢視図である。
【図７】脚部を周方向に開口した曲面板から形成した場合のインク容器を示す下面図、及びＶＩＩｂ−ＶＩＩｂ線矢視図である。
【図８】脚部を放射状に配置される板体で形成した場合のインク容器を示す下面図、及びＶＩＩＩｂ−ＶＩＩＩｂ線矢視図である。
【図９】脚部をすり鉢状の板体で形成した場合のインク容器を示す下面図、及びＩＸｂ−ＩＸｂ線矢視図である。
【発明を実施するための形態】
【００２７】
以下、本発明の一実施の形態を図面を参照しつつ説明する。
【００２８】
図１は、本発明のインク容器が設置されるインクジェット印刷装置１（以下単にプリンタ１という）の全体の外観を示す斜視図である。図１に示すように、プリンタ１は、基台２と、この基台２上に設けられた略長方体状の筺体５とを有し、筺体５の内側に印刷機構３を備えている。筺体５の上部前側には、開閉可能な前面カバー６が設けられ、筺体５の前面中央には、長方形状の横長の開口７が設けられている。開口７からはプラテン１１が筺体５の前方に突出されている。筺体５の左側には、インク容器３０を設置する箱状のインク容器装着部１２が設けられている。
【００２９】
筺体５の前面右下隅部には、作業者がプリンタ１を操作するための操作盤８が設けられている。操作盤８は平面視略長方形状である。操作盤８の上面後側には、各種のメッセージや画像を表示するディスプレイ９が設けられている。操作盤８の上面前側には、プリンタ１に印刷開始を指示操作する印刷ボタン１０が設けられている。
【００３０】
図２は、プリンタ１の内部構造を示す正面図であり、図３は、プリンタ１の内部構造を示す平面図である。筺体５の内側に設置された印刷機構３は、プラテン１１と、印刷ヘッド２０と、ＵＶ露光装置２１等を備え、例えばＰＥＴ（ポリエチレンテレフタレート）、ポリカーボネート等のプラスチックや布帛であるＴシャツ等の被印刷媒体Ｗに印刷が可能な周知の構造に構成されている。プラテン１１は上面に被印刷媒体Ｗを支持する。プラテン１１上に支持された被印刷媒体Ｗは、プラテン駆動機構によりプラテン１１とともにプリンタ１の前後方向に移動可能である。プラテン駆動機構は、プラテン１１を前後方向に移動可能に支持する左右１対のＹ軸ガイドレール２５と、プラテン１１の下面に取り付けたナット部２６ａに螺合した前後方向に延びるＹ軸送りネジ２６と、Ｙ軸送りネジ２６ａの後端部に取り付けたＹ軸モータ２７等を備える。Ｙ軸モータ２７でＹ軸送りネジ２６を回転することにより、プラテン１１がＹ軸ガイドレール２５に沿って前後方向に移動し、プラテン１１上の被印刷媒体Ｗが同方向に移動する。
【００３１】
印刷ヘッド２０は、紫外線の露光により硬化するインクをプラテン１１上に支持された被印刷媒体上に吐出し、吐出されたインクにより画像を形成する。インクは、インク容器装着部１２に設置したインク容器３０から遮光性のインクチューブ２８により吸い上げられ、印刷ヘッド２０に供給される。ＵＶ露光装置２１は、吐出されたインクに紫外線を照射してインクを硬化し、被印刷媒体Ｗ上に形成された画像を固定する。
【００３２】
印刷ヘッド２０はキャリッジ２２に搭載され、ＵＶ露光装置２１は印刷ヘッド２０のインク吐出時の進行方向一方側、本例では印刷ヘッド２０の右側面に取り付けられている。印刷ヘッド２０及びＵＶ露光装置２１は、キャリッジ駆動機構によりキャリッジ２２とともにプリンタ１の左右方向（Ｘ軸方向）に移動可能である。キャリッジ駆動機構は、キャリッジ２２を左右方向に移動可能に支持するＸ軸ガイドレール２３と、キャリッジ２２の後端部に取り付けたナット部に螺合した左右方向に延びる図示しないＸ軸送りネジと、Ｘ軸送りネジの右端部に取り付けたＸ軸モータ２４等を備える。Ｘ軸モータ２４でＸ軸送りネジを回転することにより、キャリッジ２２はＸ軸ガイドレール２３に沿って左右方向に移動し、キャリッジ２２に搭載された印刷ヘッド２０、及び印刷ヘッド２０に取り付けられたＵＶ露光装置２１は、キャリッジ２２とともに同方向に移動する。
【００３３】
インク容器装着部１２は、前面に遮光カバー１４によって覆われる開口部１３を有する。遮光カバー１４は、下端に設けられた取手部１４ａを手で持って上げ下げ可能である。操作者は、インク容器装着部１２の遮光カバー１４を持ち上げて開口部１３を露出し、インク容器３０を開口部１３からインク容器装着部１２内に挿入し、インク容器装着部１２内の設置面１５に設置することができる。遮光カバー１４は上端に水平な天井部１４ｂが延設されており、天井部１４ｂから図示しないバネ部材によって押え板１６が吊り下げられている。押え板１６の中央部は、インク容器３０の上部の外郭に対応した上方向に凸の湾曲状に形成されている。遮光カバー１４を開口部１３の下端まで下げると、降下した押え板１６の中央部がインク容器３０の上部に接触し、押え板１６でインク容器３０を押える。インク容器３０は、設置面１５に固定状態に設置される。
【００３４】
インクチューブ２８は、一端がインク容器装着部１２内に挿入され、他端が筺体５内の印刷ヘッド２０に接続されている。インク容器装着部１２内に挿入されたインクチューブ２８の先端部は、剛性を有する挿入先端部２８ａを有している。インクチューブ２８は、遮光カバー１４の天井部１４ｂに設けた貫通孔内に上下動可能に遊嵌され、天井部１４ｂから垂下したインクチューブ２８の挿入先端部２８ａは、押え板１６の貫通孔を貫通し所定長突出した状態に保持されている。
【００３５】
インク容器３０は、図４（ａ）〜図４（ｃ）に示すように、インク３３を収容する遮光性の本体部３１と、本体部３１を支持する脚部（支持部）４０とを備える。本体部３１は本体部３１の首部３２のインク供給口３２ａ（開口）の断面よりも大きい断面を有する。インク供給口３２ａは、アルミ箔等の遮光性材料の薄膜３４によって塞がれている。本体部３１のインク供給口３２ａの反対側の底部３５は、周縁部の内側、本例では中央部がインク供給口３２ａとは反対側の下方に突出し、インク貯留部３６（突部）が形成されている。
【００３６】
脚部４０は、本体部３１の底部３５の周縁部の下側に設けられている。脚部４０は、板状の円筒体（周方向に閉じた曲面板）からなり、脚部４０の長さはインク貯留部３６よりも長い。脚部４０は本体部３１と一体に設けても、本体部３１と別体に設けても、取り外し可能なように設けても、いずれでもよい。脚部４０は上端を本体部３１の底部３５の周縁部に接触し、下端をインク容器装着部１２の設置面１５に接触する。脚部４０は設置面１５上に本体部３１を支持し、設置面１５からインク貯留部３６を離間する。インク貯留部３６と設置面１５との間には、略円筒状の空間３７が形成される。なお、脚部４０は本体部３１の周縁部の下側に設けられているが、周縁部とインク貯留部３６との間に設けられてもよい。以降の変形例であっても同様である。
【００３７】
遮光カバー１４をインク容器装着部１２の開口部１３の下端まで下げ、押え板１６でインク容器３０を押えて設置面１５に設置すると、インクチューブ２８の挿入先端部２８ａは、首部３２のインク供給口３２ａの薄膜３４を突き破って本体部３１内に挿入される。本体部３１内に挿入された挿入先端部２８ａは、本体部３１内のインク３３中に浸漬され、挿入先端部２８ａの下端は、本体部３１の底部３５近くに位置される。なお、押え板１６は遮光性のある材料で形成されていることが望ましい。インクチューブ２８の挿入先端部２８ａがインク容器３０の薄膜３４を突き破るときに、その衝撃により薄膜３４がインクチューブの２８の断面よりも余計に大きく破れてしまった場合に、その余計に大きく破れたところから、インク容器３０の上方からの光がインク容器３０内部に進入したり、異物がインク容器３０の内部に混入するのを、押え板１６により防止することができる。
【００３８】
本体部３１内のインク３３は、プリンタ１側の図示しない吸引装置もしくはヘッドの吐出面との水頭差でインクチューブ２８を介して吸引することにより、インクチューブ２８を通って本体部３１外に排出され、印刷ヘッド２０へと供給される。印刷ヘッド２０での印刷でインク３３が消費され、本体部３１内のインク３３の残量が少なくなると、インク貯留部３６により残ったインク３３が集められて、インクチューブ２８により最後まで排出しやすいようにする。
操作者は、遮光性カバー１４の天井部１４ｂの貫通孔を挿通するインクチューブ２８を下側に押し込み、図４（ｂ）に点線で示すように、挿入先端部２８ａをインク貯留部３６に導いて、挿入先端部２８ａの先端をインク貯留部３６内に位置させる。これにより、インクチューブ２８でインク貯留部３６内のインクを本体部３１外に排出でき、本体部３１内のインク３３を最後まで使用することができる。なお、インクチューブ２８は遮光カバー１４に固定されて、遮光カバー１４の動きと共に移動するようにしてもよい。この場合、遮光カバー１４を開口部１３の下端まで押し下げると、インクチューブ２８の挿入先端部２８ａがちょうどインク貯留部３６の内部に配置されるように設けられる。
【００３９】
すなわち、インク容器３０の断面よりも小さい断面を有するインク貯留部３６を設けることで、同じインク残量であっても、インク貯留部３６の下端から液面までの高さは、インク容器がインク貯留部を備えず水平な底部である場合の底部から液面までの高さよりも高くなるので、インクチューブ２８でインクを吸引しやすくなる。また、インク容器３０から直接に印刷ヘッド２０へインクをインクチューブ２８から供給する場合には、印刷ヘッド２０へ空気を送らないようにするため、インクチューブ２８の挿入先端部２８ａがインク容器３０のインク液面より常に下方に配置させる必要がある。そのため、インク貯留部３６を設け、インク貯留部３６に挿入先端部２８ａの先端を配置させることで、インク残量がより少なくなるようにインクを使用することができる。
なお、図５に示すように、インク貯留部３６に接続される底部３５はインク貯留部３６にインクを集めて貯留しやすいように斜面が形成されていてもよい。
【００４０】
このインク貯留部３６は、本体部３１の底部３５の周縁部内側から下方に突出し、インク容器３０を設置する設置面１５に近いため、設置面１５からの熱の影響を受けやすい。本実施形態では、脚部４０によりインク貯留部３６を設置面１５から離し、インク貯留部３６と設置面１５との間に空間３７を形成するので、空間３７が断熱層の代わりになって、設置面１５からインク貯留部３６に熱が伝わるのを少なくすることができる。加えて、脚部４０の設置面１５と接触する接触面積が本体部３１の底部３５の設置面１５と接触しない非接触面積よりも小さく、脚部４０は設置面１５と部分的な接触をするので、脚部４０から本体部３１の底部３５を経てインク貯留部３６へ伝わる熱を少なくできる。さらに、脚部４０を周方向に閉じた板状の円筒体から形成するので、脚部４０の放熱面積をより大きくでき、設置面１５から伝わる熱を脚部４０で放熱し、インク貯留部３６に熱が伝わるのを少なくできる。これにより、インク貯留部３６のインク３３の温度が高くなるのを低減でき、温度が高くなることによるインク３３の硬化やインク３３の品質が劣化する等のインクの変質を防止することができる。
【００４１】
なお、本実施形態ではインク容器３０はプリンタ１へインクを供給するために用いられるが、その他の装置に供給するためのものであってもよい。また、本実施形態のように、インクチューブ２８などのインクを排出する排出管を用いないで、薄膜３４に穴を開けてインク容器３０を傾けてインクを排出してもよい。加えて、インク容器３０のインク供給口３２ａに薄膜３４がなく、首部３２に溝を設けて、その溝に螺合する蓋を開閉することにより、インクを排出してもよい。
【００４２】
なお、本発明は、上記実施形態に限られず、技術思想を逸脱しない範囲で種々の変形が可能である。以下、そのような変形例について説明する。
【００４３】
（１）インク容器の脚部を棒体で形成した場合
上記実施形態では、インク容器３０の脚部４０を板体の円筒体から形成したが、脚部は棒体から形成してもよい。脚部を棒体から形成した場合のインク容器を図６に示す。図６（ａ）はインク容器の下面図、図６（ｂ）は図６（ａ）のＶＩｂ−ＶＩｂ線矢視図である。
【００４４】
図５に示すように、本変形例において、インク容器３０は、本体部３１の底部３５の周縁部の下側に、棒体からなる複数本の脚部４１を本体部３１と一体に設けている。脚部４１は少なくとも３本以上であり、本例では脚部４１は３本である。３本の脚部４１は、本体部３１の周方向に例えば等間隔（１２０°間隔）で配置されている。各脚部４１の長さは等長であり、且つインク貯留部３６よりも長い。脚部４１は下端を設置面１５に接触する。脚部４１は設置面１５上に本体部３１を支持し、設置面１５からインク貯留部３６を離間する。
【００４５】
本変形例では、インク貯留部３６と設置面１５との間に形成される空間は、隣り合う脚部４１同士の間で本体部３１の底部３５の周縁部の外方に開放されている。このため、設置面１５から伝わる熱を脚部４１で効率よく放熱でき、脚部４１から本体部３１の底部３５を経てインク貯留部３６へ伝わる熱を少なくすることができる。これにより、インク貯留部３６のインク３３の温度が高くなるのを低減でき、温度が高くなることによるインク３３の硬化やインクの変質を防止することができる。
【００４６】
（２）インク容器の脚部を周方向に開口した曲面板で形成した場合
脚部を周方向に開口した曲面板から形成した場合のインク容器を図７に示す。図７（ａ）はインク容器の下面図、図７（ｂ）は図７（ａ）のＶＩＩｂ−ＶＩＩｂ線矢視図である。
【００４７】
図７（ａ）及び図７（ｂ）に示すように、本変形例のインク容器３０は、本体部３１の底部３５の周縁部に沿って配置される脚部４２を有し、脚部４２は、板体の円筒体を周方向に例えば１２０°分切り欠いた切り欠き円筒体（周方向に開口した曲面板）から形成されている。脚部４２は本体部３１と一体に設けても、本体部３１と別体に設けても、取り外し可能なように設けても、いずれでもよい。脚部４２は下端をインク容器３０の設置面１５に接触する。脚部４２は設置面１５上に本体部３１を支持し、設置面１５からインク貯留部３６を離間する。
【００４８】
本変形例では、インク貯留部３６と設置面１５との間に形成される空間は、脚部４２の切り欠き部で本体部３１の底部３５の周縁部の外方に開放されている。このため、設置面１５から伝わる熱を脚部４２で効率よく放熱でき、底部３５に部分的に脚部４２が設けられており、脚部４２から本体部３１の底部３５を経てインク貯留部３６へ伝わる熱を少なくすることができる。これにより、インク貯留部３６のインク３３の温度が高くなるのを低減でき、温度が高くなることによるインク３３の硬化等の変質を防止することができる。
【００４９】
（３）インク容器の脚部を放射状に配置される板体で形成した場合
脚部を放射状に配置される板体で形成した場合のインク容器を図８に示す。図８（ａ）はインク容器の下面図、図８（ｂ）は図８（ａ）のＶＩＩＩｂ−ＶＩＩＩｂ線矢視図である。
【００５０】
図７（ａ）及び図７（ｂ）に示すように、本変形例３のインク容器３０は、本体部３１の底部３５に、貯留部３６から放射状に配置される直角三角形状の板体からなる複数枚、本例では３枚の脚部４３を本体部３１と一体に設けている。脚部４３は、直角三角形の直角を挟む一辺が本体部３１の底部３５のインク貯留部３６の周囲から周縁部に向けて配置される。なお、脚部４３は貯留部３６に接触していても、貯留部４３から離間していてもよい。脚部４３が貯留部３６に対して離間して配置されていれば、脚部４３から貯留部３６へ熱が伝わるのを防止できる。脚部４３の下端までの長さ、すなわち脚部４３を構成する直角三角形の直角を挟む他方の一辺の長さは、インク貯留部３６よりも長い。脚部４３は下端をインク容器装着部１２の設置面１５に接触する。脚部４３は設置面１５上に本体部３１を支持し、設置面１５からインク貯留部３６を離間する。
【００５１】
本変形例では、脚部４３を放射状に配置される板体から形成するので、脚部４３の放熱面積をより大きくできる。又、脚部４３を三角形状に形成しており、脚部４３は下方に行くほど細くなり、放熱面積が大きい傾斜面４３ａを有する。これにより、設置面１５から熱が脚部４３に伝わっても、脚部４３の放熱量を増大して、脚部４３から本体部３１の底部３５を経てインク貯留部３６へ伝わる熱を少なくすることができる。その結果、インク貯留部３６のインク３３の温度が高くなるのを低減でき、温度が高くなることによるインク３３の硬化等の変質を防止することができる。
【００５２】
（４）インク容器の脚部をすり鉢状の板体で形成した場合
脚部をすり鉢状の板体で形成した場合のインク容器３０を図９に示す。図９（ａ）はインク容器の下面図、図９（ｂ）は図９（ａ）のＩＸｂ−ＩＸｂ線矢視図である。
【００５３】
図９（ａ）及び図９（ｂ）に示すように、本変形例のインク容器３０は、本体部３１の底部３５の下側にすり鉢を伏せた形状（截頭円錐体状）の曲面板からなる脚部４４を設けている。脚部４４は、上端の外径が本体部３１の外径よりやや小さく、下端の外径が本体部３１の外径よりやや大きい。脚部４４の長さ（高さ）は、インク貯留部３６よりも長い。脚部４４は、上端を本体部３１の底部３５の周縁部に近接した内側部分に接触し、下端を本体部３１の外方において設置面１５に接触する。脚部４４は設置面１５上に本体部３１を支持し、設置面１５からインク貯留部３６を離間する。インク貯留部３６と設置面１５との間に形成される空間３７は、略すり鉢状の形状である。
【００５４】
本変形例では、脚部４４によりインク貯留部３６を設置面１５から離し、インク貯留部３６と設置面１５との間に空間３７を形成するので、設置面１５からインク貯留部３６に熱が伝わるのを少なくすることができる。また、脚部４４をすり鉢状の曲面板から形成するので、脚部４４の放熱面積をより大きくできる。この面からも、設置面１５からインク貯留部３６に熱が伝わるのを少なくすることができる。これにより、インク貯留部３６のインク３３の温度が高くなるのを低減でき、温度が高くなることによるインク３３の硬化等の変質を防止することができる。
【００５５】
以上、本発明の実施形態及び変形例について説明したが、以上既に述べた以外にも、上記実施形態や各変形例による手法を適宜組み合わせて利用しても良い。
【００５６】
その他、一々例示はしないが、本発明は、その趣旨を逸脱しない範囲内において、種々の変更が加えられて実施されるものである。
【符号の説明】
【００５７】
１                プリンタ（インクジェット印刷装置）
１１              プラテン
１２              インク容器装着部
１５              設置面
２０              印刷ヘッド
２８              インクチューブ
２８ａ            挿入先端部
３０              インク容器
３１              本体部
３３              インク
３５              底部
３６              インク貯留部（突部）
４０，４１，４２，４３，４４  脚部
【図１】
2013202853.tif 000003
【図２】
2013202853.tif 000004
【図３】
2013202853.tif 000005
【図４】
2013202853.tif 000006
【図５】
2013202853.tif 000007
【図６】
2013202853.tif 000008
【図７】
2013202853.tif 000009
【図８】
2013202853.tif 000010
【図９】
2013202853.tif 000011